(57)【要約】【課題】野縁に配線穴が形成され、その配線穴にケーブルが配置される場合に、ケーブルの位置を室内側から特定することが可能な被探知具およびそれを用いた配線方法を提供する。【解決手段】被探知具１００は、天井裏Ｓ１に配置されたケーブル１５０の位置を室内Ｓ２側から特定する際に探知されるものであり、野縁２０１に形成された配線穴２０１ａに天井裏Ｓ１側から挿入されて仮固定される仮固定部１と、仮固定部１に対して先端側に配置され、磁石５０を保持する保持部２と、仮固定部１に対して後端側に配置され、ケーブル１５０が取り付けられる取付部３とを備える。被探知具１００は、配線穴２０１ａに仮固定された状態から室内Ｓ２側に引っ張られた場合に配線穴２０１ａを通過可能に構成されている。【選択図】図１
2020137249.tif 000002
【特許請求の範囲】
【請求項１】
天井裏に配置されたケーブルの位置を室内側から特定する際に探知される被探知具であって、
野縁に形成された第１配線穴に天井裏側から挿入されて仮固定される仮固定部と、
前記仮固定部に対して先端側に配置され、磁石を保持する保持部と、
前記仮固定部に対して後端側に配置され、前記ケーブルが取り付けられる取付部とを備え、
前記第１配線穴に仮固定された状態から室内側に引っ張られた場合に前記第１配線穴を通過可能に構成されていることを特徴とする被探知具。
【請求項２】
請求項１に記載の被探知具において、
前記仮固定部は、後端側が先端側に比べて直径が大きくなるように形成されたテーパ状の外周面を有し、
前記外周面には、前記第１配線穴の内周面に食い込む第１突起部が複数形成されていることを特徴とする被探知具。
【請求項３】
請求項１または２に記載の被探知具において、
前記取付部は、板状に形成され、前記ケーブルが結束バンドによって取り付けられ、
前記取付部の一方面には、前記ケーブルに食い込む第２突起部が形成され、
前記取付部の他方面には、前記結束バンドが配置される配置部が形成されていることを特徴とする被探知具。
【請求項４】
請求項１〜３のいずれか１つに記載の被探知具において、
前記保持部は、弾性変形可能な一対のアームを有することを特徴とする被探知具。
【請求項５】
請求項１〜４のいずれか１つに記載の被探知具において、
前記保持部に対して先端側に配置される把持部を備え、
前記把持部には、貫通穴が形成されていることを特徴とする被探知具。
【請求項６】
磁石を保持するとともに、ケーブルが取り付けられた被探知具を用いた配線方法であって、
野縁に形成された第１配線穴に前記被探知具を天井裏側から挿入して仮固定する工程と、
前記第１配線穴に仮固定された被探知具を室内側から探知する工程と、
前記被探知具が検出された位置の天井板に第２配線穴を形成する工程と、
前記第１配線穴に仮固定された被探知具を、前記第１配線穴および前記第２配線穴を介して室内側に引き出す工程とを備えることを特徴とする被探知具を用いた配線方法。
【発明の詳細な説明】
【技術分野】
【０００１】
本発明は、被探知具およびそれを用いた配線方法に関する。
【背景技術】
【０００２】
従来、天井裏に配置されたケーブルの位置を室内側から特定する際に探知される被探知装置が知られている（たとえば、特許文献１参照）。
【０００３】
特許文献１の被探知装置は、野縁等の天井下地材に取り付けられる一対の取付部と、一対の取付部の間に架け渡される延設部と、延設部に設けられる被探知具とを備えている。この被探知装置では、被探知具を探知することによりケーブルの位置を室内側から特定することが可能である。
【先行技術文献】
【特許文献】
【０００４】
【特許文献１】特開２００８−１５０８９０号公報
【発明の概要】
【発明が解決しようとする課題】
【０００５】
ここで、野縁に配線穴（第１配線穴）が形成され、その配線穴にケーブルが配置される場合に、ケーブルの位置を室内側から特定することが望まれる。なお、上記した従来の被探知装置では、天井下地材に取付部が取り付けられており、天井下地材と重複する位置に被探知具を配置することができないので、天井下地材と重複する位置の特定が困難であると考えられる。
【０００６】
本発明は、上記の課題を解決するためになされたものであり、本発明の目的は、野縁に第１配線穴が形成され、その第１配線穴にケーブルが配置される場合に、ケーブルの位置を室内側から特定することが可能な被探知具およびそれを用いた配線方法を提供することである。
【課題を解決するための手段】
【０００７】
本発明による被探知具は、天井裏に配置されたケーブルの位置を室内側から特定する際に探知されるものであり、野縁に形成された第１配線穴に天井裏側から挿入されて仮固定される仮固定部と、仮固定部に対して先端側に配置され、磁石を保持する保持部と、仮固定部に対して後端側に配置され、ケーブルが取り付けられる取付部とを備える。被探知具は、第１配線穴に仮固定された状態から室内側に引っ張られた場合に第１配線穴を通過可能に構成されている。
【０００８】
このように構成することによって、第１配線穴に仮固定された被探知具が探知されることにより、ケーブルの位置を室内側から特定することができる。さらに、第１配線穴に仮固定された被探知具が室内側に引き出されることにより、ケーブルを第１配線穴に通すことができる。
【０００９】
上記被探知具において、仮固定部は、後端側が先端側に比べて直径が大きくなるように形成されたテーパ状の外周面を有し、外周面には、第１配線穴の内周面に食い込む第１突起部が複数形成されていてもよい。
【００１０】
上記被探知具において、取付部は、板状に形成され、ケーブルが結束バンドによって取り付けられ、取付部の一方面には、ケーブルに食い込む第２突起部が形成され、取付部の他方面には、結束バンドが配置される配置部が形成されていてもよい。
【００１１】
上記被探知具において、保持部は、弾性変形可能な一対のアームを有していてもよい。
【００１２】
上記被探知具において、保持部に対して先端側に配置される把持部を備え、把持部には、貫通穴が形成されていてもよい。
【００１３】
本発明による被探知具を用いた配線方法は、磁石を保持するとともに、ケーブルが取り付けられた被探知具を用いるものであり、野縁に形成された第１配線穴に被探知具を天井裏側から挿入して仮固定する工程と、第１配線穴に仮固定された被探知具を室内側から探知する工程と、被探知具が検出された位置の天井板に第２配線穴を形成する工程と、第１配線穴に仮固定された被探知具を、第１配線穴および第２配線穴を介して室内側に引き出す工程とを備える。
【発明の効果】
【００１４】
本発明の被探知具およびそれを用いた配線方法によれば、野縁に第１配線穴が形成され、その第１配線穴にケーブルが配置される場合に、ケーブルの位置を室内側から特定することができる。
【図面の簡単な説明】
【００１５】
【図１】本実施形態による被探知具が野縁の配線穴に仮固定された状態を示した図である。
【図２】本実施形態による被探知具にケーブルが取り付けられた状態を示した斜視図である。
【図３】本実施形態による被探知具を示した斜視図である。
【図４】本実施形態による被探知具を別の角度から示した斜視図である。
【図５】本実施形態による被探知具が野縁の配線穴に挿入される状態を示した図である。
【図６】本実施形態による被探知具が野縁の配線穴に仮固定され、天井板に配線穴が形成された状態を示した図である。
【図７】本実施形態の変形例による取付部を説明するための図である。
【発明を実施するための形態】
【００１６】
以下、本発明の一実施形態を図面に基づいて説明する。
【００１７】
まず、図１〜図４を参照して、本発明の一実施形態による被探知具１００の構造について説明する。
【００１８】
被探知具１００は、図１に示すように、天井裏Ｓ１に配置されたケーブル１５０の位置を室内Ｓ２側から特定する際に探知されるものである。ケーブル１５０はたとえば照明器具用配線であり、被探知具１００は電気配線工事の施工の際に利用される。
【００１９】
ここで、天井裏Ｓ１と室内Ｓ２とは天井板２００によって区画されている。天井板２００は、野縁２０１に接合され、その野縁２０１によって支持されている。野縁２０１は、長尺状の板材であり、天井板２００の上側（Ｘ２方向側）に配置され、水平方向に所定の間隔を隔てて複数設けられている。この野縁２０１は、たとえば木製であり、ケーブル１５０が通される配線穴２０１ａが形成されている。なお、配線穴２０１ａは、本発明の「第１配線穴」の一例である。
【００２０】
被探知具１００は、たとえば樹脂成形品であり、図３および図４に示すように、仮固定部１と、保持部２と、取付部３と、把持部４とを備えている。
【００２１】
仮固定部１は、野縁２０１に形成された配線穴２０１ａに天井裏Ｓ１側から挿入されて仮固定されるように構成されている。仮固定部１は、テーパ状の外周面１１を有する。この外周面１１は、後端側（Ｘ２方向側）が先端側（Ｘ１方向側）に比べて直径が大きくなるように形成されている。すなわち、外周面１１の直径は、後端側から先端側に向けて縮径するように構成されている。外周面１１には、複数の突起部１２が形成されている。
【００２２】
突起部１２は、被探知具１００が配線穴２０１ａに挿入された場合に、配線穴２０１ａの内周面に食い込むように構成されている。この突起部１２は、外周面１１から径方向外側に突出するように形成されるとともに、被探知具１００の長手方向（Ｘ１およびＸ２方向）に延びるように形成されている。たとえば、突起部１２が４つ設けられ、その４つの突起部１２が周方向に９０度間隔で配置されている。なお、突起部１２は、本発明の「第１突起部」の一例である。
【００２３】
保持部２は、円柱型（丸型）の磁石５０（図２参照）を保持するように構成されている。保持部２は、仮固定部１に対して先端側に配置され、仮固定部１の直径よりも外形が小さくされている。この保持部２は、一対のアーム２１および壁部２２を有する。
【００２４】
一対のアーム２１は、円弧状に形成され、弾性変形可能に構成されている。そして、一対のアーム２１は、先端が所定の間隔を隔てて配置されており、その先端の隙間から差し込まれた磁石５０の外周面を保持するように構成されている。壁部２２は、アーム２１に対する先端側および後端側に配置されている。すなわち、壁部２２は、被探知具１００の長手方向において、アーム２１を挟んで対向するように配置されている。このため、壁部２２は、差し込まれた磁石５０の端面を支持するように構成されている。
【００２５】
取付部３は、仮固定部１に対して後端側に配置され、結束バンド１６０（図２参照）によってケーブル１５０が取り付けられるように構成されている。取付部３は、板状に形成され、被探知具１００の長手方向に延びるように形成されている。取付部３は、仮固定部１の外周縁よりも径方向内側に配置されている。
【００２６】
取付部３の一方面（内面）には、ケーブル１５０に食い込む突起部３１が形成され、取付部３の他方面（外面）には、結束バンド１６０が配置される配置溝３２が形成されている。突起部３１および配置溝３２は、取付部３の長手方向（Ｘ１およびＸ２方向）において対応する位置に配置され、取付部３の長手方向と直交する方向に延びるように形成されている。配置溝３２は、取付部３の長手方向において対向する一対の突部３２ａ（図４参照）によって形成されている。たとえば、突起部３１および配置溝３２が２つ設けられている。なお、突起部３１は、本発明の「第２突起部」の一例であり、配置溝３２は、本発明の「配置部」の一例である。
【００２７】
把持部４は、板状に形成されており、作業者が被探知具１００を室内Ｓ２側に引っ張る際に把持されるように構成されている。把持部４は、保持部２に対して先端側に配置され、アーム２１の根元から先端側に延びるように形成されている。また、把持部４には、厚み方向に貫通する貫通穴４１が形成されている。この貫通穴４１は、フック（図示省略）を係合可能に構成されている。
【００２８】
この被探知具１００では、保持部２、取付部３および把持部４が配線穴２０１ａを通過可能なように仮固定部１の外周縁よりも径方向内側に配置されている。また、アーム２１の根元、取付部３および把持部４は、仮固定部１の周方向において対応する位置に配置されている。すなわち、被探知具１００の長手方向において、把持部４、アーム２１の根元、仮固定部１の外周部の一部および取付部３がほぼ直線状に連なるように配置されている。
【００２９】
−被探知具の利用方法−
次に、図１〜図６を参照して、本実施形態による被探知具１００の利用方法（配線方法）について説明する。なお、以下の各作業は作業者によって行われる。また、図５では、見やすさを考慮して天井板２００（図１参照）の図示を省略している。
【００３０】
まず、図２に示すように、被探知具１００に磁石５０が装着される。具体的には、アーム２１の先端の隙間から磁石５０が差し込まれることにより、その磁石５０が保持部２によって保持される。
【００３１】
次に、被探知具１００にケーブル１５０が取り付けられる。具体的には、ケーブル１５０の先端が取付部３の一方面に沿うように配置される。その状態から、配置溝３２（図４参照）に配置される結束バンド１６０が締め付けられる。このため、結束バンド１６０により、ケーブル１５０が取付部３に取り付けられる。このとき、取付部３の突起部３１（図３参照）がケーブル１５０に食い込んでいる。
【００３２】
そして、図５に示すように、天井裏Ｓ１側から野縁２０１の配線穴２０１ａに被探知具１００が挿し込まれる。これにより、図１に示すように、被探知具１００の仮固定部１が配線穴２０１ａに圧入され、被探知具１００が配線穴２０１ａに仮固定される。このとき、仮固定部１の突起部１２が配線穴２０１ａの内周面に食い込んでいる。また、被探知具１００は先端側から配線穴２０１ａに挿入されており、把持部４および磁石５０を保持する保持部２が、配線穴２０１ａの内部に配置されるとともに、天井板２００の近傍に配置されている。
【００３３】
その後、室内Ｓ２側から磁気探知機（図示省略）を用いて被探知具１００が探知される。そして、磁気探知機によって被探知具１００が検出され、被探知具１００の位置（配線穴２０１ａおよびケーブル１５０の位置）が特定されると、図６に示すように、その特定された位置の天井板２００に配線穴２００ａが形成される。なお、配線穴２００ａは、本発明の「第２配線穴」の一例である。
【００３４】
次に、室内Ｓ２側から挟持工具（図示省略）を用いて把持部４が把持され、挟持工具が下側（Ｘ１方向側）に移動される。なお、挟持工具を用いる代わりに、把持部４の貫通穴４１にフック（図示省略）を係合させて引っ張るようにしてもよい。これにより、配線穴２０１ａに仮固定された被探知具１００が、配線穴２０１ａおよび２００ａを通過して室内Ｓ２側に引き出される。そして、ケーブル１５０から被探知具１００が取り外された後に、ケーブル１５０と照明器具との接続や照明器具の設置が行われる。
【００３５】
−効果−
本実施形態では、上記のように、野縁２０１の配線穴２０１ａに仮固定される仮固定部１と、磁石５０を保持する保持部２と、ケーブル１５０が取り付けられる取付部３とが設けられ、配線穴２０１ａに仮固定された状態から室内Ｓ２側に引っ張られた場合に配線穴２０１ａを通過可能に構成されている。このように構成することによって、配線穴２０１ａに仮固定された被探知具１００が探知されることにより、ケーブル１５０の位置を室内Ｓ２側から特定することができる。さらに、配線穴２０１ａに仮固定された被探知具１００が室内Ｓ２側に引き出されることにより、ケーブル１５０を配線穴２０１ａに通すことができる。したがって、被探知具１００を用いることにより、室内Ｓ２側から、ケーブル１５０および配線穴２０１ａの位置を特定するとともに、その配線穴２０１ａにケーブル１５０を通すことができるので、配線作業の容易化を図ることができる。また、被探知具１００の大型化を抑制するとともに、配線作業後に被探知具１００が天井裏Ｓ１に残らないようにすることができる。
【００３６】
また、本実施形態では、テーパ状の外周面１１を仮固定部１が有することによって、仮固定部１を配線穴２０１ａに圧入することにより、仮固定部１を配線穴２０１ａに容易に仮固定することができる。
【００３７】
また、本実施形態では、外周面１１に突起部１２が形成されることによって、突起部１２が配線穴２０１ａの内周面に食い込むことにより、仮固定部１を配線穴２０１ａに強固に仮固定することができる。
【００３８】
また、本実施形態では、取付部３に突起部３１が形成されることによって、突起部３１がケーブル１５０に食い込むことにより、ケーブル１５０が取付部３に対してずれるのを抑制することができる。すなわち、ケーブル１５０を取付部３に強固に取り付けることができる。
【００３９】
また、本実施形態では、取付部３に配置溝３２が形成されることによって、結束バンド１６０が取付部３に対してずれるのを抑制することができる。
【００４０】
また、本実施形態では、突起部３１および配置溝３２が対応する位置に配置されることによって、結束バンド１６０による締付力が作用する部分に突起部３１が配置されるので、突起部３１がケーブル１５０により食い込みやすくなる。
【００４１】
また、本実施形態では、弾性変形可能なアーム２１を保持部２が有することによって、被探知具１００に対して磁石５０を容易に組付することができる。
【００４２】
また、本実施形態では、把持部４が設けられることによって、被探知具１００を室内Ｓ２側に引っ張りやすくすることができる。
【００４３】
また、本実施形態では、把持部４に貫通穴４１が形成されることによって、貫通穴４１にフックを係合させることにより、被探知具１００を室内Ｓ２側により引っ張りやすくすることができる。
【００４４】
また、本実施形態では、把持部４、アーム２１の根元、仮固定部１の外周部の一部および取付部３がほぼ直線状に連なるように配置されることによって、把持部４が室内Ｓ２側に引っ張られたときに、仮固定部１が配線穴２０１ａに詰まるのを抑制することができるので、被探知具１００を室内Ｓ２に抜き出しやすくすることができる。
【００４５】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４６】
たとえば、上記実施形態では、ケーブル１５０が照明器具用配線である例を示したが、これに限らず、ケーブルが火災感知器用配線などであってもよい。
【００４７】
また、上記実施形態では、突起部１２が４つ設けられる例を示したが、これに限らず、突起部の数がいくつであってもよいし、突起部が設けられていなくてもよい。また、突起部３１および配置溝３２が２つ設けられる例を示したが、これに限らず、突起部および配置溝の数がいくつであってもよいし、突起部および配置溝が設けられていなくてもよい。
【００４８】
また、上記実施形態では、取付部３に結束バンド１６０が配置される配置溝３２が形成される例を示したが、これに限らず、図７に示す変形例による取付部３ａのように、結束バンド１６０が挿通される挿通穴３３が形成されていてもよい。この場合、挿通穴３３は、本発明の「配置部」の一例である。
【００４９】
また、上記実施形態において、天井裏Ｓ１での作業と室内Ｓ２での作業とを同じ作業者が行ってもよいし、天井裏Ｓ１での作業と室内Ｓ２での作業とを異なる作業者が行ってもよい。
【産業上の利用可能性】
【００５０】
本発明は、天井裏に配置されたケーブルの位置を室内側から特定する際に探知される被探知具およびそれを用いた配線方法に利用可能である。
【符号の説明】
【００５１】
１        仮固定部
２        保持部
３、３ａ  取付部
４        把持部
１１      外周面
１２      突起部（第１突起部）
２１      アーム
３１      突起部（第２突起部）
３２      配置溝（配置部）
３３      挿通穴（配置部）
４１      貫通穴
５０      磁石
１００    被探知具
１５０    ケーブル
１６０    結束バンド
２００    天井板
２００ａ  配線穴（第２配線穴）
２０１    野縁
２０１ａ  配線穴（第１配線穴）
Ｓ１      天井裏
Ｓ２      室内
【図１】
2020137249.tif 000003
【図２】
2020137249.tif 000004
【図３】
2020137249.tif 000005
【図４】
2020137249.tif 000006
【図５】
2020137249.tif 000007
【図６】
2020137249.tif 000008
【図７】
2020137249.tif 000009